(57)【要約】【課題】本発明は、体調良好化に用いる光照射装置に関するもので、光照射効果を高めることを目的とするものである。【解決手段】そして、この目的を達成するために本発明は、包装帯４と、この包装帯４の表面側に配置した複数の発光素子１１と、これら複数の発光素子１１の表面側を覆った個別透明カバー１４と、この個別透明カバー１４と前記発光素子１１との間に充填した水１６とを備えた構成と、水１６を介して光を照射するものである。【選択図】図５
2010246753.tif 000002
【特許請求の範囲】
【請求項１】
包装帯と、この包装帯の表面側に配置した複数の発光素子と、これら複数の発光素子の表面側を覆った透明カバーと、この透明カバーと前記発光素子との間に充填した液体とを備えた光照射装置。
【請求項２】
包装帯の表面側に、複数の発光素子を所定間隔で配置し、各発光素子を個別透明カバーで覆った請求項１に記載の光照射装置。
【請求項３】
各発光素子を覆った個別透明カバーを、液体流路で連結した請求項２に記載の光照射装置。
【請求項４】
各発光素子を覆った個別透明カバーは、表面側に突出させた請求項２、または３に記載の光照射装置。
【請求項５】
包装帯の表面側で、個別透明カバー間部分を反射面とした請求項４に記載の光照射装置。
【請求項６】
包装帯の表面側に圧力センサを配置し、この圧力センサを受圧カバーで覆うとともに、この受圧カバーと個別透明カバーは液体流路で連結した請求項２〜５のいずれか一つに記載の光照射装置。
【請求項７】
液体として水を充填した請求項１〜６のいずれか一つに記載の光照射装置。
【発明の詳細な説明】
【技術分野】
【０００１】
本発明は、光の照射によって体調を良好化しようとする光照射装置に関する。
【背景技術】
【０００２】
従来のこの種、光照射装置の構成は、次のようになっていた。
【０００３】
すなわち、包装帯と、この包装帯の表面側に配置した発光素子とを備えた構成となっていた（例えば、下記特許文献１）。
【先行技術文献】
【特許文献】
【０００４】
【特許文献１】特開平５−１６８号公報
【発明の概要】
【発明が解決しようとする課題】
【０００５】
上記従来例では、例えば人体に、包装帯を巻きつけ、その状態で発光素子から人体に対して光を照射し、体調を良好化しようとするものであって、包装帯を人体に巻きつけて使用するので、この使用時でも、日常生活が大きく妨げられることは無く、その点が大きく評価されるものであった。
【０００６】
しかしながら、このような従来例では、発光素子から出射された光を直接、例えば人体に照射しようとしているので、人体への光照射効果が十分ではないと言う課題を残すものであった。
【０００７】
すなわち、この場合には、発光素子から出射された光が、次に空間を介し、人体に到達することになるのであるが、特に空間から人体に到達部分においては、光の伝達条件（物性）が大きく変化するので、ここで光の反射が起こり、その結果として人体への光照射効果が低いものになってしまうのであった。
【０００８】
そこで本発明は、光照射効果を高めることを目的とするものである。
【課題を解決するための手段】
【０００９】
そしてこの目的を達成するために本発明は、包装帯と、この包装帯の表面側に配置した複数の発光素子と、これら複数の発光素子の表面側を覆った透明カバーと、この透明カバーと前記発光素子との間に充填した液体とを備えた構成とし、これにより所期の目的を達成するものである。
【発明の効果】
【００１０】
以上のように本発明は、包装帯と、この包装帯の表面側に配置した複数の発光素子と、これら複数の発光素子の表面側を覆った透明カバーと、この透明カバーと前記発光素子との間に充填した液体とを備えた構成としたものであるので、光照射効果を高めることができる。
【００１１】
すなわち、複数の発光素子の表面側を透明カバーで覆うとともに、これら複数の発光素子と透明カバー間に液体を充填したので、発光素子からの光は、液体を介して例えば人体に照射されることとなる。
【００１２】
この場合、液体として、例えば水を用いても、光の伝達条件（物性）が人体と水で近似しているので、人体に対する光照射効果を高めることができるのである。
【図面の簡単な説明】
【００１３】
【図１】本発明の一実施形態の使用状態を示す斜視図
【図２】その一方の表面側（外面側）の斜視図
【図３】その他方の表面側（内面側）の斜視図
【図４】その使用状態を示す断面図
【図５】その使用状態を示す拡大断面図
【図６】その制御ブロック図
【発明を実施するための形態】
【００１４】
以下、本発明の実施の形態の光照射装置について、図面を参照しながら説明する。
【００１５】
（実施の形態１）
図１は本発明の一実施形態にかかる光照射装置１の使用状態を示し、この図１においては、この光照射装置１が人体２の腹部３に装着されている状態を示している。
【００１６】
光照射装置１は、図２に示すように、帯状の包装帯４を主体として形成され、この包装帯４の一方の表面（図１の装着時の外面側）には操作ケース５が設けられている。
【００１７】
また、この操作ケース５の表面には、この図２に示すように、動作状態を示す動作ランプ６と、動作スイッチ７と、適正圧力表示ランプ８と、残り時間表示部９とを設けており、またこの操作ケース５の内部には、電源電池（図６の１０）が収納されている。
【００１８】
さらに、前記包装帯４の他方の表面（図１の装着時の内面側）には、図３〜図５から理解されるように、複数（具体的には６０個）の発光素子（例えばＬＥＤ）１１が、所定間隔をおいて配置されおり、またこの面の発光素子１１側方には一つの圧力センサ１２が配置されている。
【００１９】
そして、このような発光素子１１、圧力センサ１２の配置状態において、これらの発光素子１１、圧力センサ１２は透明カバー１３で覆われている。
【００２０】
この透明カバー１３には、これらの図３〜図５からも理解されるように、各発光素子１１を覆った個別透明カバー１４と、圧力センサ１２を覆った受圧カバー１５が一体に形成されている。
【００２１】
これらの個別透明カバー１４と受圧カバー１５は、その表面側（人体２装着時の人体側に）むけて突出させた円錐台形状としているので、これらの個別透明カバー１４と受圧カバー１５内に、液体の一例として水１６を充填した場合には、図５に示すように、個別透明カバー１４の天井面と発光素子１１の上面との間、および受圧カバー１５の天井面と圧力センサ１２の上面との間に水１６が介在する状態となる。
【００２２】
さらに、複数の個別透明カバー１４と受圧カバー１５は、図３に示すように、液体流路１７で連結しているので、図４のごとく本実施形態の光照射装置１を、人体２の腹部３に装着した場合には、この液体流路１７を介して水が個別透明カバー１４と受圧カバー１５内に行き来することで、多くの個別透明カバー１４が腹部３に密着するものとなる。
【００２３】
また、この時の装着圧力は、液体流路１７を介して圧力センサ１２に伝わり、適正圧力以上なら、図１に示した適正圧力表示ランプ８が点灯するようになっている。
【００２４】
図６には、以上の各構成部品の電気的な接続状態を示している。
【００２５】
先ず、６０個の発光素子１１は、６個を直列接続したものを、１０列並列接続した状態としている。また、電源電池１０は単３電池（１.５Ｖ）を３本直列接続したものを、３列並列接続した状態となっている。したがって、各発光素子１１には、０．７５Ｖが印加されるようになっている。
【００２６】
また、電源電池１０には制御部１８が接続されており、この制御部１８に前記動作ランプ６、動作スイッチ７、適正圧力表示ランプ８、残り時間表示部９、発光素子１１、圧力センサ１２、及び終了を知らせるブザー１９が接続されており、これにより各部への電源供給と、信号伝達が行われる構成となっている。
【００２７】
上記構成において、図２、図３に示すごとく、帯状の包装帯４の一方の表面（図１の装着時の外面側）の一端側には面ファスナー２０が設けられ、また帯状の包装帯４の他方の表面（図１の装着時の内面側）の他端側には面ファスナー２１が設けられているので、使用者は図１、図４に示すごとく、例えば腹部３に包装帯４を巻き付け、面ファスナー２０、２１を係合させる。
【００２８】
そして、この状態で動作スイッチ７を押すと、動作ランプ６が点灯するとともに、面ファスナー２０、２１を係合させた包装帯４の巻き付け状態が適切（図４のごとく腹部３に個別透明カバー１４と受圧カバー１５が密着して状態）であると、それを圧力センサ１２が検出し、適正圧力表示ランプ８が点灯し、残り時間表示部９が１５分から１秒ごとにカウントダウンを開始する。
【００２９】
この時、包装帯４の内側では、発光素子１１の発光が開始されており、その光は図５のごとく水１６を介して人体２の腹部３へと照射されることになるのであるが、光の伝達条件（物性）が人体２と水１６で近似することにより、人体２に対する光照射効果を高めることができ、この結果として体調良好化
（この時はいわゆる脂肪を消費しやすくする働きであるが、その他の効用も種々報告されている）に大きく貢献できるものとなる。
【００３０】
また、所定間隔で配置された個別透明カバー１４間の透明カバー１３部分は、図５のごとく、アルミニウムが蒸着された反射面２２となっているので、発光素子１１からの光を人体２側に反射させることが出来、この点からも人体２に対する光照射効果を高めることができる。
【００３１】
そして、１５分が経過すると、残り時間表示部９がゼロ表示になるとともに、ブザー１９が鳴って使用終了が報知され、その後動作ランプ６が消灯し、全ての動作が終了する。
【００３２】
なお、上記実施形態においては、個別透明カバー１４内に水１６を充填したが、例えば水に塩分等を混入させた体液に近い状態の液体を充填しても良い。
【００３３】
また、上記実施形態においては、個別透明カバー１４と受圧カバー１５からの水漏れを防止するために防水材２３を設けているが、この防水材２３は包装帯４の可撓性を阻害しないように、柔らかな樹脂状のものを活用することが好ましい。
【産業上の利用可能性】
【００３４】
以上のように本発明は、包装帯と、この包装帯の表面側に配置した複数の発光素子と、これら複数の発光素子の表面側を覆った透明カバーと、この透明カバーと前記発光素子と
の間に充填した液体とを備えた構成としたものであるので、光照射効果を高めることができる。
【００３５】
すなわち、複数の発光素子の表面側を透明カバーで覆うとともに、これら複数の発光素子と透明カバー間に液体を充填したので、発光素子からの光は、液体を介して例えば人体に照射されることとなる。
【００３６】
この場合、液体として、例えば水を用いても、光の伝達条件（物性）が人体と水で近似しているので、人体に対する光照射効果を高めることができるのである。
【００３７】
したがって、体調の良好化のために広く活用が期待されるものとなる。
【符号の説明】
【００３８】
１    光照射装置
２    人体
３    腹部
４    包装帯
５    操作ケース
６    動作ランプ
７    動作スイッチ
８    適正圧力表示ランプ
９    残り時間表示部
１０    電源電池
１１    発光素子
１２    圧力センサ
１３    透明カバー
１４    個別透明カバー
１５    受圧カバー
１６    水
１７    液体流路
１８    制御部
１９    ブザー
２０、２１    面ファスナー
２３    防水材
【図１】
2010246753.tif 000003
【図２】
2010246753.tif 000004
【図３】
2010246753.tif 000005
【図４】
2010246753.tif 000006
【図５】
2010246753.tif 000007
【図６】
2010246753.tif 000008